(57)【要約】【課題】検索結果に対するユーザの意志を検索処理や検索結果の表示に適切に反映可能な情報検索装置を提供する。【解決手段】情報検索装置１は、ユーザが入力した検索条件２１５ａと選択論文データ２１５ｂとの関係の情報Ｒ１を記憶する検索履歴記憶部２１５を備える。検索履歴記憶部２１５には、検索条件２１５ａと詳細検索条件２１５ｃとの関係の情報Ｒ２も記憶される。選択論文情報Ｒ１および詳細検索情報Ｒ２は、画面遷移指示に基づいて更新される。選択論文情報Ｒ１は、検索エンジン２１０における検索処理やＨＴＭＬ文書生成部２１１における画面生成処理に利用される。【選択図】図５
2005316573.tif 000002
【特許請求の範囲】
【請求項１】
情報検索装置であって、
検索条件に適合する適合データ群を検索対象データ群から抽出する検索処理を実行する検索手段と、
ユーザが入力した第１検索条件を前記検索条件として用いた前記検索処理により抽出された第１適合データ群の情報を一覧表示する一覧表示画面と、前記第１適合データ群からユーザによって選択された選択データのより詳細な情報を含めて表示する複数の選択表示画面群とを生成して表示装置に表示させる画面生成処理を実行する画面生成手段と、
前記第１検索条件と前記選択データとの関係の情報である第１関係情報を記憶する記憶手段と、
を備え、
ユーザから与えられた画面遷移指示に応答して、前記表示装置に表示させる画面を前記一覧表示画面および前記複数の選択表示画面群の中で切り替えるとともに、
前記画面遷移指示に基づいて、前記第１関係情報を更新することを特徴とする情報検索装置。
【請求項２】
請求項１に記載の情報検索装置において、
前記複数の選択表示画面群が、
前記選択データに含まれる第１情報を表示する第１選択表示画面と、
前記選択データに含まれる、前記第１情報より詳細な第２情報を表示する第２選択表示画面と、
を含み、
所定の第１画面遷移指示に応答して、前記表示装置に表示させる画面を、前記第１選択表示画面から前記第２選択表示画面へ変更することを特徴とする情報検索装置。
【請求項３】
請求項２に記載の情報検索装置において、
前記第１情報が、前記選択データの書誌情報であり、
前記第２情報が、前記選択データの本文であることを特徴とする情報検索装置。
【請求項４】
請求項１ないし請求項３のいずれかに記載の情報検索装置において、
前記画面生成手段が、詳細検索のための第２検索条件を選択肢からユーザに選択させる詳細検索画面をさらに生成可能であり、
所定の第２画面遷移指示に応答して、前記表示装置に表示させる画面を、前記選択表示画面群に含まれる所定の選択表示画面から前記詳細検索画面へ変更するとともに、
前記選択肢が前記所定の選択表示画面に表示された情報から抽出されることを特徴とする情報検索装置。
【請求項５】
請求項４に記載の情報検索装置において、
前記所定の選択表示画面に表示される情報が、前記選択データの書誌情報であることを特徴とする情報検索装置。
【請求項６】
請求項１ないし請求項５のいずれかに記載の情報検索装置において、
前記記憶手段に記憶されている前記第１関係情報を、前記検索処理または前記画面生成処理に利用することを特徴とする情報検索装置。
【請求項７】
請求項６に記載の情報検索装置において、
前記検索処理または前記画面生成処理における前記第１関係情報の利用により、
前記一覧表示画面に表示される情報の内容または表示方法が変化することを特徴とする情報検索装置。
【請求項８】
請求項１ないし請求項７のいずれかに記載の情報検索装置において、
前記記憶手段がユーザまたはユーザ群ごとに設けられることを特徴とする情報検索装置。
【請求項９】
請求項４または請求項５に記載の情報検索装置において、
前記記憶手段が、
前記第１検索条件と前記第２検索条件との関係の情報である第２関係情報を記憶するとともに、
前記画面生成手段が、
前記詳細検索画面においてユーザが選択した前記第２検索条件を前記検索条件として用いた前記検索処理により抽出された第２適合データ群の情報を表示する詳細検索結果表示画面をさらに生成可能であり、
前記詳細検索結果表示画面における所定の第２画面遷移指示に基づいて、前記第２関係情報を更新することを特徴とする情報検索装置。
【請求項１０】
請求項９に記載の情報検索装置において、
前記第２検索条件として選択可能な情報が、前記選択データの著者またはキーワードであることを特徴とする情報検索装置。
【請求項１１】
請求項１ないし請求項１０のいずれかに記載の情報検索装置において、
前記検索対象データ群の表現にＲＤＦが用いられることを特徴とする情報検索装置。
【請求項１２】
請求項１ないし請求項１１のいずれかに記載の情報検索装置において、
前記検索対象データ群の個々のデータが、所定の項目を有する定型文書を電子化したデータであることを特徴とする情報検索装置。
【発明の詳細な説明】
【技術分野】
【０００１】
本発明は、情報検索装置に関する。
【背景技術】
【０００２】
従来より、情報検索装置における検索に係るユーザの過去の操作を利用して、検索精度や検索効率を向上させることが試みられている。
【０００３】
例えば、特許文献１には、過去の検索での使用回数に応じて、キーワードの表示順序を変化させる技術が開示されている。特許文献２には、過去の検索でのキーワードの使用回数に応じて、キーワードによる検索結果の表示順序を変化させる技術が開示されている。特許文献３には、過去の検索でのキーワードの採択履歴により、キーワードネットワークの更新を行い、当該更新に基づいてユーザへ提示するキーワードの候補を変化させる技術が開示されている。
【０００４】
【特許文献１】特開平８−６３４８１号公報
【特許文献２】特開平８−１１５３３４号公報
【特許文献３】特開平９−２４５０５８号公報
【発明の開示】
【発明が解決しようとする課題】
【０００５】
しかし、特許文献１〜３の技術は、キーワードに対するユーザの過去の操作を検索処理や検索結果の表示に反映可能であるものの、検索結果に対するユーザの意志（満足度）は考慮の対象外となっている。このため、特許文献１〜３の技術は、検索結果に対するユーザの意志を検索処理や検索結果の表示に適切に反映することができない。
【０００６】
本発明は、この問題を解決するためになされたもので、検索結果に対するユーザの意志を検索処理や検索結果の表示に適切に反映可能な情報検索装置を提供することを目的とする。
【課題を解決するための手段】
【０００７】
上記課題を解決するため、請求項１の発明は、情報検索装置であって、検索条件に適合する適合データ群を検索対象データ群から抽出する検索処理を実行する検索手段と、ユーザが入力した第１検索条件を前記検索条件として用いた前記検索処理により抽出された第１適合データ群の情報を一覧表示する一覧表示画面と、前記第１適合データ群からユーザによって選択された選択データのより詳細な情報を含めて表示する複数の選択表示画面群とを生成して表示装置に表示させる画面生成処理を実行する画面生成手段と、前記第１検索条件と前記選択データとの関係の情報である第１関係情報を記憶する記憶手段とを備え、ユーザから与えられた画面遷移指示に応答して、前記表示装置に表示させる画面を前記一覧表示画面および前記複数の選択表示画面群の中で切り替えるとともに、前記画面遷移指示に基づいて、前記第１関係情報を更新することを特徴とする。
【０００８】
請求項２の発明は、請求項１に記載の情報検索装置において、前記複数の選択表示画面群が、前記選択データに含まれる第１情報を表示する第１選択表示画面と、前記選択データに含まれる、前記第１情報より詳細な第２情報を表示する第２選択表示画面とを含み、所定の第１画面遷移指示に応答して、前記表示装置に表示させる画面を、前記第１選択表示画面から前記第２選択表示画面へ変更することを特徴とする。
【０００９】
請求項３の発明は、請求項２に記載の情報検索装置において、前記第１情報が、前記選択データの書誌情報であり、前記第２情報が、前記選択データの本文であることを特徴とする。
【００１０】
請求項４の発明は、請求項１ないし請求項３のいずれかに記載の情報検索装置において、前記画面生成手段が、詳細検索のための第２検索条件を選択肢からユーザに選択させる詳細検索画面をさらに生成可能であり、所定の第２画面遷移指示に応答して、前記表示装置に表示させる画面を、前記選択表示画面群に含まれる所定の選択表示画面から前記詳細検索画面へ変更するとともに、前記選択肢が前記所定の選択表示画面に表示された情報から抽出されることを特徴とする。
【００１１】
請求項５の発明は、請求項４に記載の情報検索装置において、前記所定の選択表示画面に表示される情報が、前記選択データの書誌情報であることを特徴とする。
【００１２】
請求項６の発明は、請求項１ないし請求項５のいずれかに記載の情報検索装置において、前記記憶手段に記憶されている前記第１関係情報を、前記検索処理または前記画面生成処理に利用することを特徴とする。
【００１３】
請求項７の発明は、請求項６に記載の情報検索装置において、前記検索処理または前記画面生成処理における前記第１関係情報の利用により、前記一覧表示画面に表示される情報の内容または表示方法が変化することを特徴とする。
【００１４】
請求項８の発明は、請求項１ないし請求項７のいずれかに記載の情報検索装置において、前記記憶手段がユーザまたはユーザ群ごとに設けられることを特徴とする。
【００１５】
請求項９の発明は、請求項４または請求項５に記載の情報検索装置において、前記記憶手段が、前記第１検索条件と前記第２検索条件との関係の情報である第２関係情報を記憶するとともに、前記画面生成手段が、前記詳細検索画面においてユーザが選択した前記第２検索条件を前記検索条件として用いた前記検索処理により抽出された第２適合データ群の情報を表示する詳細検索結果表示画面をさらに生成可能であり、前記詳細検索結果表示画面における所定の第２画面遷移指示に基づいて、前記第２関係情報を更新することを特徴とする。
【００１６】
請求項１０の発明は、請求項９に記載の情報検索装置において、前記第２検索条件として選択可能な情報が、前記選択データの著者またはキーワードであることを特徴とする。
【００１７】
請求項１１の発明は、請求項１ないし請求項１０のいずれかに記載の情報検索装置において、前記検索対象データ群の表現にＲＤＦが用いられることを特徴とする。
【００１８】
請求項１２の発明は、請求項１ないし請求項１１のいずれかに記載の情報検索装置において、前記検索対象データ群の個々のデータが、所定の項目を有する定型文書を電子化したデータであることを特徴とする。
【発明の効果】
【００１９】
請求項１ないし請求項１２の発明によれば、検索結果に対するユーザの意思表示である画面遷移指示が第１関係情報に反映されるので、ユーザの過去の意思表示を利用可能になる。
【００２０】
請求項２または請求項３の発明によれば、表示装置に表示される情報が画面遷移指示によって変化するので、画面遷移指示からユーザの意志を推測可能になる。
【００２１】
請求項４または請求項５の発明によれば、所定の選択表示画面に表示された情報を第２検索条件として情報検索装置へ入力することが容易になるので、選択データと関連した情報を容易に得ることができる。
【００２２】
請求項６または請求項７の発明によれば、第１関係情報が検索処理および画面生成処理に反映されるので、ユーザの意思表示が検索処理および画面生成処理に反映される。
【００２３】
請求項７の発明によれば、ユーザの意思が一覧表示画面に表示される情報の内容または表示方法に反映されるので、ユーザによる選択データの選択が容易になる。
【００２４】
請求項８の発明によれば、第１関係情報をユーザまたはユーザ群ごとに記憶可能になるので、ユーザまたはユーザ群ごとに意志を検索処理や画面生成処理に反映可能になる。
【００２５】
請求項９または請求項１０の発明によれば、記憶手段に記憶される第２関係情報に、ユーザの意思表示である画面遷移指示が反映されるので、ユーザの過去の意思表示を利用可能となる。
【００２６】
請求項１０の発明によれば、第１検索条件と著者またはキーワードとの関係を特定可能となるので、新たな第１検索条件が与えられた場合に、関係が強い著者またはキーワードの情報を利用可能になる。
【発明を実施するための最良の形態】
【００２７】
本実施形態の情報検索装置（情報検索システム）１は、検索対象データ群に対する検索処理を実行することによって、検索条件に適合する適合データ群を検索対象データ群から抽出してユーザに提示する。検索対象データ群の具体的内容は制限されない。したがって、情報検索装置１では、学術分野、産業分野および生活分野の情報を電子化したデータ群を検索対象データ群として採用可能である。学術分野の情報としては、技術報告書や論文や特許情報等を例示可能である。産業分野の情報としては、商品情報や営業店舗情報等を例示可能である。生活分野の情報としては、地域情報や食品情報等を例示可能である。なお、以下の説明では、検索対象データ群が、医学分野の論文を電子化した論文データ群であるとして説明を進める。ただし、これは例示であって、情報検索装置１の適用対象を制限するものではない。
【００２８】
情報検索装置１は、検索対象データ群に対する検索処理を実行するのみならず、検索結果に対して示されたユーザの過去の意思表示を、検索結果に対するユーザの満足度を向上するために利用する。ここでいう満足度とは、検索結果の有効性に関する主要な指標である適合性、適切性および有用性のうち、ユーザに依存する適切性および有用性を包含する意味で使用している。
【００２９】
論文データ群を構成する個々の論文データは、論文を電子化したＸＭＬ（eXtensible Markup Language）文書である。図１は所定の項目を有する定型文書である論文Ｐ２を例示する図である。図２および図３は、図１の論文Ｐ２を電子化して得られたＸＭＬ文書Ｘ２を例示する図である。ＸＭＬ文書Ｘ２では、ＲＤＦ（Resource Description Framework）による表現が採用されている。
【００３０】
ＸＭＬ文書Ｘ２の冒頭部分Ｘ２１には、ＸＭＬ宣言および名前空間接頭辞宣言が含まれる。ＸＭＬ文書Ｘ２は、出版社、抄録、タイトル、キーワード、本文および著者の情報を記述するための要素Ｅ２１〜Ｅ２６を有する。要素Ｅ２５には、本文のパラグラフごとの内容を記述するための要素Ｅ２５１〜Ｅ２５４が子要素として含まれる。要素Ｅ２５１〜Ｅ２５４の各々には、パラグラフのタイトルを記述するための要素Ｅ２５１ｔ〜Ｅ２５４ｔおよびパラグラフの内容を記述するための要素Ｅ２５１ｃ〜Ｅ２５４ｃが子要素として含まれる。
【００３１】
＜構成＞
○ハードウエア構成；
図４は、情報検索装置１のハードウエア構成を示す図である。
【００３２】
情報検索装置１は、データベースサーバ２１を備える。データベースサーバ２１には、ウェブサーバも実装される。これにより、データベースサーバ２１は、データベースサービスをネットワーク２２に公開可能である。もちろん、データベースサーバ２１と物理的に分離されたホストにウェブサーバを実装してもよい。データベースサービスが公開されるネットワーク２２は、イントラネットおよびインターネットのいずれでもよい。
【００３３】
ネットワーク２２に公開されたデータベースサービスは、ネットワーク２２に接続されたクライアント２３から利用可能である。クライアント２３には、例えば、携帯情報端末２３ａ、携帯電話機２３ｂおよびコンピュータ２３ｃ等が含まれる。クライアント２３にはウェブブラウザが実装される。情報検索装置１では、クライアント２３からデータベースサーバ２１への検索条件の送信は、ウェブブラウザからデータベースサーバ２１へ送信されるＨＴＴＰリクエストによって行われる。一方、情報検索装置１では、データベースサーバ２１からクライアント２３への検索結果の送信は、データベースサーバ２１からウェブブラウザへ送信されるＨＴＴＰレスポンスによって行われる。
【００３４】
○機能構成；
図５は、情報検索装置１のデータベースサーバ２１の機能構成を示すブロック図である。図６は、情報検索装置１のクライアント２３の機能構成を示すブロック図である。
【００３５】
データベースサーバ２１は、検索エンジン群２１０、ＨＴＭＬ（HyperText Markup Language）文書生成部２１１、クエリ解析器２１２およびウェブサーバ２１３等の機能ブロックを備える。これらの機能ブロックは、データベースサーバ２１を構成するコンピュータにプログロラムを実行させることにより実現される機能の表現である。
【００３６】
検索エンジン群２１０は、クエリ解析器２１２から入力される検索キーワードを用いて、データベース２１４に格納された論文データ群２１４ａに対する検索処理を実行する。検索エンジン群２１０は、全文検索エンジン２１０ａおよびメタデータ検索エンジン２１０ｂを備える。
【００３７】
全文検索エンジン２１０ａは、論文データの全文（ＸＭＬ文書Ｘ２の要素内容の全体）を検索対象としている。全文検索エンジン２１０ａは、入力された検索キーワード（以下では「全文検索キーワード」とも称する）を用いて論文データ群２１４ａに対する検索処理を実行し、全文検索キーワードに適合する適合論文データ群の情報を検索結果（以下では「全文検索結果」とも称する）としてＨＴＭＬ文書生成部２１１へ出力する。さらに、全文検索エンジン２１０ａは、適合論文データと全文検索キーワードとの適合性の高さの指標である一致度Ｃ１を算出し、ＨＴＭＬ文書生成部２１１へ出力する。一致度Ｃ１は、例えば、索引語頻度ＴＦ（Term Frequency）と文書頻度の逆数ＩＤＦ（Inverse Document Frequency）との積であるＴＦ＊ＩＤＦ値等に基づいて決定される。
【００３８】
一方、メタデータ検索エンジン２１０ｂは、論文データの指定範囲（ＸＭＬ文書Ｘ２の指定要素の要素内容）を検索対象としている。メタデータ検索エンジン２１０ｂは、入力された検索キーワード（以下では「範囲指定検索キーワード」とも称する）を用いて論文データ群２１４ａに対する検索処理を実行し、範囲指定検索キーワードに適合する適合論文データ群の情報を検索結果（以下では「範囲指定検索結果」とも称する）としてＨＴＭＬ文書生成部２１１へ出力する。さらに、メタデータ検索エンジン２１０ｂは、適合論文データと範囲指定検索キーワードとの適合性の高さの指標である一致度Ｃ２を算出し、ＨＴＭＬ文書生成部２１１へ出力する。
【００３９】
ウェブサーバ２１３は、クライアント２３からＨＴＴＰリクエストとして与えられた検索条件をクエリ解析器２１２へ転送する。また、ウェブサーバ２１３は、ＨＴＴＰリクエストに応答してＨＴＭＬ文書生成部２１１が生成したＨＴＭＬ文書をＨＴＴＰレスポンスとしてクライアント２３へ返信する。
【００４０】
クエリ解析器２１２は、ウェブサーバ２１３から転送されてきた検索条件から検索キーワードを抽出し、全文検索エンジン２１０ａおよびメタデータ検索エンジン２１０ｂへ出力する。クエリ解析器２１２は、出力先の検索エンジンの検索特性に基づいて検索キーワードを変化させる。具体的には、クエリ解析器２１２は、全文検索キーワードを全文検索エンジン２１０ａへ出力し、範囲指定検索キーワードをメタデータ検索エンジン２１０ｂへ出力する。クエリ解析器２１２および検索エンジン群２１０により、検索条件を用いて論文データ群から適合論文データ群を抽出することが可能となる。
【００４１】
ＨＴＭＬ文書生成部２１１は、ユーザとの情報入出力の媒体となるＧＵＩ（Graphical User Interface）画面を生成して出力する。当該ＧＵＩ画面は、ＨＴＭＬ等で記述されたウェブページである。さらに、ＨＴＭＬ文書生成部２１１は、生成したＧＵＩ画面をウェブサーバ２１３経由で表示装置２３３を備えるクライアント２３へ出力し、当該ＧＵＩ画面を表示装置２３３に表示させる。ＧＵＩ画面の具体例は後述する。ＨＴＭＬ文書生成部２１１により、情報検索装置１は、検索条件を用いた検索処理により得られた検索結果をクライアント２３（表示装置２３３）へ出力可能となる。
【００４２】
さらに、情報検索装置１は、ユーザが入力した検索条件２１５ａと選択論文データ２１５ｂ（後述）との関係の情報（以下では「選択論文情報」とも称する）Ｒ１を記憶する検索履歴記憶部２１５を備える。検索履歴記憶部２１５には、検索条件２１５ａと詳細検索条件（後述）２１５ｃとの関係の情報（以下では「詳細検索情報」とも称する）Ｒ２も記憶される。選択論文情報Ｒ１および詳細検索情報Ｒ２は、画面遷移指示（後述）に基づいて更新される。選択論文情報Ｒ１は、検索エンジン２１０における検索処理やＨＴＭＬ文書生成部２１１における画面生成処理に利用される。
【００４３】
クライアント２３に実装されるウェブブラウザ２３１は、入力部２３２を用いてユーザが入力した検索条件を所定のメソッドのＨＴＴＰリクエストに変換してデータベースサーバ２１へ送信する。入力部２３２は、キーボードやポインティングデバイス等の入力デバイスを含む。入力部２３２は、ＧＵＩ画面上での各種ＧＵＩ操作にも用いられる。また、ウェブブラウザ２３１は、データベースサーバ２１からＨＴＴＰレスポンスとして返信されたＨＴＭＬ文書をレンダリングする。これにより、ＨＴＭＬ文書は、視認可能なＧＵＩ画面として表示装置２３３に表示される。
【００４４】
＜ＧＵＩ画面＞
ＨＴＭＬ文書生成部２１１は、検索画面、一覧表示画面、詳細情報選択表示画面、全文選択表示画面、詳細検索画面、詳細検索結果表示画面、共著関係図示画面およびポップアップ画面等のＧＵＩ画面を生成する。ＨＴＭＬ文書生成部２１１が出力する画面すなわち表示装置２３３に表示される画面は、ユーザから与えられた画面遷移指示に応答して切り替えられる。情報検索装置１では、当該画面遷移指示は、ウェブブラウザ２３１からウェブサーバ２１３へ送信されるＨＴＴＰリクエストによって与えられる。以下では、これらのＧＵＩ画面およびＧＵＩ画面間の遷移について説明する。
【００４５】
○検索画面；
図７は、検索条件の入力機能をユーザに提供する検索画面２０１を例示する図である。検索画面２０１は、左側の検索条件入力画面２０１Ｌと右側のヘルプ画面２０１Ｒとからなる複合画面である。このような複合画面は、ＨＴＭＬ文書中でフレームを定義することによって実現される。この点は、後述する一覧表示画面、詳細情報選択表示画面、詳細検索画面および詳細検索結果表示画面も同様である。
【００４６】
検索条件入力画面２０１Ｌは、検索条件の入力支援機能を有する。検索条件入力画面２０１Ｌには、検索条件選択ボタンＢＴ１およびＢＴ２が表示される。検索条件選択ボタンＢＴ１およびＢＴ２は、択一的に選択可能なラジオボタンである。検索条件選択ボタンＢＴ１が選択された場合、情報検索装置１は、複数の個別検索条件（後述）の論理積により検索条件を作成する。一方、検索条件選択ボタンＢＴ２が選択された場合、情報検索装置１は、複数の個別検索条件の論理和により検索条件を生成する。
【００４７】
検索条件選択ボタンＢＴ１およびＢＴ２の下方には、検索条件入力エリアＡＲ１が表示される。検索条件入力エリアＡＲ１には、個別検索条件入力用のプルダウンＰＤ１〜ＰＤ４が設けられる。プルダウンＰＤ１〜ＰＤ４の各々では、「論文中に」「タイトルに」「著者に」「キーワードに」「抄録に」および「本文中に」という選択肢からひとつを選択可能である。各選択肢は、範囲指定検索の検索範囲に対応している。すなわち、情報検索装置１では、「論文中に」「タイトルに」「著者に」「キーワードに」「抄録に」および「本文中に」の各選択肢がプルダウンＰＤ１〜ＰＤ４で選択されると、それぞれ、論文の全体、論文のタイトル欄、論文の著者欄、論文のキーワード欄、論文の抄録欄および論文の本文欄が検索範囲として指定されたことになる。換言すれば、情報検索装置１では、「論文中に」「タイトルに」「著者に」「キーワードに」「抄録に」および「本文中に」の各選択肢がプルダウンＰＤ１〜ＰＤ４で選択されると、それぞれ、ＸＭＬ文書Ｘ２の全要素内容、要素Ｅ２３の要素内容、要素Ｅ２６の要素内容、要素Ｅ２４の要素内容、要素Ｅ２２の要素内容および要素Ｅ２５の要素内容が検索対象となる。
【００４８】
プルダウンＰＤ１〜ＰＤ４の右方には、それぞれ、テキストフィールドＴＦ１〜ＴＦ４が表示される。テキストフィールドＴＦ１〜ＴＦ４には、任意の文字列を入力可能である。ユーザは、一のプルダウンの選択肢を選択し、当該プルダウンの右方のテキストフィールドに文字列を入力することにより、個別検索条件を生成可能である。例えば、プルダウンＰＤ１で「抄録に」という選択肢を選択し、テキストフィールドＴＦ１に「電子カルテ」を入力すると、「抄録に電子カルテを含む論文」という個別検索条件が生成される。図１１の検索条件入力画面２０１Ｌでは、４つの個別検索条件を生成可能となっている。
【００４９】
検索条件入力エリアＡＲ１の下方には、検索ボタンＢＴ３が表示される。情報検索装置１は、検索ボタンＢＴ３が押下されたことを検出すると、個別検索条件から検索条件を生成して検索処理を開始する。しかる後に、表示装置２３３に表示される画面は、検索画面２０１から、次に説明する一覧表示画面２０２へ変更される（図１６の画面遷移を示す図を参照）。すなわち、検索ボタンＢＴ３は、検索画面２０１から一覧表示画面２０２への画面遷移指示ＩＮ１を情報検索装置１へ与えるための遷移リンクが埋め込まれたＧＵＩ部材となっている。
【００５０】
なお、ヘルプ画面２０１Ｒは、情報検索装置１の使用方法を説明するために使用される。
【００５１】
○一覧表示画面；
図８は、ユーザが検索画面２０１で入力した検索条件を用いた検索処理により抽出された検索結果を一覧表示する一覧表示画面２０２を例示する図である。一覧表示画面２０２は、左側の検索結果一覧表示画面２０２Ｌと右側の空欄２０２Ｒとからなる複合画面である。この空欄は、後述する各種ＧＵＩ画面において選択論文データの各種情報を表示するために用いられる。
【００５２】
検索結果一覧表示画面２０２Ｌには、検索結果総合表示テーブルＴＡ１１が表示される。検索結果総合表示テーブルＴＡ１１には、全文検索結果および範囲指定検索結果の両方の検索結果が統合されて一覧表示される。すなわち、検索結果総合表示テーブルＴＡ１１には、全文検索結果および範囲指定検索結果の和集合が一覧表示される。全文検索結果または範囲指定検索結果のみの閲覧は、それぞれ、範囲指定限定ボタンＢＴ１１または範囲指定解除ボタンＢＴ１２の押下によって実現される。
【００５３】
検索結果総合表示テーブルＴＡ１１の２行目以下の各行には、タイトル表示セルＣＥ１１、一致度表示セルＣＥ１２および検索方法表示セルＣＥ１３が設けられる。
【００５４】
タイトル表示セルＣＥ１１には、検索処理により抽出された論文データに係る論文のタイトルが表示される。当該タイトルには、ハイパーリンクが埋め込まれる。当該ハイパーリンクは、当該ハイパーリンクが埋め込まれたタイトルを有する論文の詳細情報選択表示画面２０２への画面遷移指示ＩＮ２を情報検索装置１へ与えるための遷移リンクとなっている。ユーザは、タイトルに埋め込まれたハイパーリンクを選択するＧＵＩ操作を行うことにより、当該タイトルを有する論文データを選択可能である。このようにして選択された論文データを「選択論文データ」とも称する。
【００５５】
一致度表示セルＣＥ１２には、一致度Ｃ１および一致度Ｃ２に基づいて算出される総合的な一致度Ｃが表示される。一致度Ｃは、一致度Ｃ１および一致度Ｃ２を所定の重み付けを行って加算することによって得られる（Ｃ＝αＣ１＋βＣ２；αおよびβは定数）。ここで、範囲指定検索結果の方がユーザの検索意図をより忠実に反映しているので、一致度Ｃにおける一致度Ｃ２の相対的な寄与を一致度Ｃ１よりも大きくすることが望ましい。これにより、ユーザの検索意図にあった論文へ相対的に大きな一致度Ｃが与えられる。
【００５６】
検索方法表示セルＣＥ１３には、「全文検索」および「範囲指定検索」という文字列の両方または一方が表示される。「全文検索」は全文検索結果に含まれる論文であることを意味しており、「範囲指定検索」は範囲指定検索結果に含まれる論文であることを意味している。
【００５７】
検索結果総合表示テーブルＴＡ１１においては、抽出された論文データは一致度Ｃの順番にソートされて表示される。
【００５８】
○詳細情報選択表示画面；
図９は、一覧表示画面２０２に一覧表示された検索結果からユーザによって選択された選択論文データのより詳細な情報を含めて表示する詳細情報選択表示画面２０３を例示する図である。詳細情報選択表示画面２０３は、左側の検索結果一覧表示画面２０３Ｌと右側の詳細情報表示画面２０３Ｒとからなる複合画面である。
【００５９】
検索結果一覧表示画面２０３Ｌの画面構成は、一覧表示画面２０２の検索結果一覧表示画面２０２Ｌと同様である。このため、図９の検索結果一覧表示画面２０３Ｌにおいては、検索結果一覧表示画面２０２Ｌと同様の参照符号を用いている。
【００６０】
詳細情報表示画面２０３Ｒには、詳細表示テーブルＴＡ２１が表示される。詳細表示テーブルＴＡ２１には、選択論文データに含まれる、論文の書誌情報であるタイトル、著者、キーワードおよび抄録を表示するための、タイトル表示セルＣＥ２１、著者表示セルＣＥ２２、キーワード表示セルＣＥ２３および抄録表示セルＣＥ２４が設けられる。詳細表示テーブルＴＡ２１に書誌情報が表示される論文は、画面遷移元の一覧表示画面２０２でユーザによって選択された選択論文データに係る論文である。
【００６１】
詳細表示テーブルＴＡ２１の下方には、全文表示ボタンＢＴ２１およびＲＤＦ検索ボタンＢＴ２２が表示される。全文表示ボタンＢＴ２１は、詳細表示テーブルＴＡ２１に書誌情報が表示されている論文の全文選択表示画面２０４への画面遷移指示ＩＮ３を与えるための遷移リンクとなっている。ＲＤＦ検索ボタンＢＴ２２は、詳細検索画面２０５への画面遷移指示ＩＮ４を情報検索装置１へ与えるための遷移リンクとなっている。したがって、情報検索装置１では、全文表示ボタンＢＴ２１またはＲＤＦ検索ボタンＢＴ２２の押下に応答して、表示装置２３３に表示される画面が詳細情報選択表示画面２０３から、全文選択表示画面２０４または詳細検索画面２０５に変更される。
【００６２】
○全文選択表示画面；
図１０は、一覧表示画面２０２に一覧表示された適合論文データ群からユーザによって選択された選択論文データのより詳細な情報を含めて表示する全文選択表示画面２０４を例示する図である。
【００６３】
全文選択表示画面２０４には、画面遷移元の詳細情報選択表示画面２０３の詳細表示テーブルＴＡ２１に書誌情報が表示された論文の全文が表示される。詳細情報選択表示画面２０３および全文選択表示画面２０４（以下では、これらを総称して「選択表示画面群」とも称する）は、いずれも、選択論文データの一覧表示画面２０２で提示された情報より詳細な情報をユーザに提示している。ただし、選択表示画面群の中でも、詳細情報選択表示画面２０３よりも全文選択表示画面２０４の方がより詳細な情報を提示している。このように選択表示画面群の中でユーザに提示する情報の詳細さを変化させることにより、画面遷移指示からユーザが閲覧を希望する情報を特定可能になる。すなわち、情報の開示レベルが階層的に変化する画面群を採用することにより、検索結果に対するユーザの意思を画面遷移指示から推定可能になる。
【００６４】
なお、本実施形態では、選択表示画面群が２つのＧＵＩ画面を含む例を示したが、情報の開示レベルが階層的に異なるさらに多くのＧＵＩ画面を含むようにしてもよい。
【００６５】
○詳細検索画面；
図１１は、詳細検索条件の選択機能をユーザに提供する詳細検索画面２０５を例示する図である。詳細検索画面２０５は、左側の検索結果一覧表示画面２０５Ｌと右側のＲＤＦ検索画面２０５Ｒとからなる複合画面である。
【００６６】
検索結果一覧表示画面２０５Ｌの画面構成は、一覧表示画面２０２の検索結果一覧表示画面２０２Ｌと同様である。このため、図１１の検索結果一覧表示画面２０５Ｌにおいては、検索結果一覧表示画面２０２Ｌと同様の参照符号を用いている。
【００６７】
ＲＤＦ検索画面２０５Ｒには、詳細表示テーブルＴＡ２１と同様のタイトル表示セルＣＥ３１、著者表示セルＣＥ３２、キーワード表示セルＣＥ３３および抄録表示セルＣＥ３４が設けられた詳細表示テーブルＴＡ３１が表示される。詳細表示テーブルＴＡ３１の表示内容は画面遷移元の詳細情報選択表示画面２０３の詳細表示テーブルＴＡ２１と同様である。ただし、詳細表示テーブルＴＡ３１では、詳細表示テーブルＴＡ２１と異なり、著者（図１１では「田中一郎」）およびキーワード（図１１では「Electronic Patient Record」）にハイパーリンクが埋め込まれている。当該ハイパーリンクは、詳細検索結果表示画面２０６への画面遷移指示ＩＮ５を情報検索装置１へ与えるための遷移リンクとなっている。したがって、詳細検索画面２０５で選択肢であるハイパーリンクが選択（押下）されると、情報検索装置１は当該ハイパーリンクが埋め込まれた著者またはキーワードを詳細検索条件として用いた検索処理を実行し、次に説明する詳細検索結果表示画面２０６に検索結果を一覧表示する。この選択肢は、詳細情報選択表示画面２０３に表示された情報（著者およびキーワード）から抽出されている。これにより、詳細情報選択表示画面２０３に表示された著者およびキーワードを詳細検索条件として情報検索装置１へ与えることが容易になるので、選択論文データと関連した情報を容易に得ることができる。
【００６８】
○詳細検索結果表示画面；
図１２は、詳細検索条件を用いた検索処理によって得られた検索結果を一覧表示する詳細検索結果表示画面２０６を例示する図である。図１２では、詳細検索画面２０５において、著者「田中一郎」に埋め込まれた遷移リンクを選択した場合に表示される詳細検索結果表示画面２０６を例示している。詳細検索結果表示画面２０６は、左側の検索結果一覧表示画面２０６Ｌと右側の著者情報表示画面２０６Ｒとからなる複合画面である。
【００６９】
検索結果一覧表示画面２０６Ｌには、範囲限定検索結果表示テーブルＴＡ４１が表示される。範囲限定検索結果表示テーブルＴＡ４１には、画面遷移元の詳細検索画面２０５で選択された遷移リンクが埋め込まれた著者「田中一郎」を範囲指定検索キーワードとして用いた範囲指定検索結果が一覧表示される。全文検索結果と範囲指定検索結果との統合表示の閲覧は総合表示ボタンＢＴ４１の押下によって実現される。また、全文検索結果のみの表示は、範囲指定解除ボタンＢＴ４２の押下によって実現される。
【００７０】
範囲限定検索結果表示テーブルＴＡ４１の２行目以下の各行には、タイトル表示セルＣＥ４１、一致度表示セルＣＥ４２および検索方法表示セルＣＥ４３が設けられる。
【００７１】
タイトル表示セルＣＥ４１には、検索処理により抽出された論文データに係る論文のタイトルが表示される。当該タイトルには、ハイパーリンクが埋め込まれる。当該ハイパーリンクは、当該ハイパーリンクが埋め込まれたタイトルを有する論文の詳細情報選択表示画面２０２への画面遷移指示ＩＮ７を情報検索装置１へ与えるための遷移リンクとなっている。ユーザは、タイトルに埋め込まれたハイパーリンクを選択するＧＵＩ操作を行うことにより、当該タイトルを有する論文データを選択可能である。
【００７２】
一致度表示セルＣＥ４２には、一致度Ｃ２が表示される。検索方法表示セルＣＥ４３には、範囲指定検索結果に含まれる論文であることを意味する「範囲指定検索」という文字列が表示される。検索結果総合表示テーブルＴＡ１１においては、抽出された論文データは一致度Ｃ２の順番にソートされて表示される。
【００７３】
著者情報表示画面２０６Ｒには、著者情報表示テーブルＴＡ４２が表示される。著者情報表示テーブルＴＡ４２には、著者、当該著者の所属組織および当該著者の論文に使用されているキーワードを表示するための著者表示セルＣＥ４４、所属表示セルＣＥ４５およびキーワード表示セルＣＥ４６が設けられる。著者表示セルＣＥ４４に表示される著者は、画面遷移元の詳細検索画面２０５で選択された遷移リンクが埋め込まれた著者である。
【００７４】
さらに、著者情報表示テーブルＴＡ４２の下方には、検索メニューとして、文字列Ｍ４１（「田中一郎の共著関係を図示する」）が表示される。文字列Ｍ４１には、ハイパーリンクが埋め込まれる。当該ハイパーリンクは、次に説明する共著関係図示画面２０８（２０９）への画面遷移指示ＩＮ６を情報検索装置１へ与えるための遷移リンクとなっている。
【００７５】
○共著関係図示画面；
図１３および図１４は、共著関係を図示する共著関係図示画面２０８および２０９を例示する図である。共著関係図示画面２０８および２０９は、それぞれ、検索キーワード「電子カルテ」と、検索キーワード「電子カルテ」「electronic health record」とが用いられた場合に表示される共著関係図示画面である。
【００７６】
共著関係図示画面２０８では、著者Ａ，Ｂ，Ｃ，Ｄ，Ｅ，Ｆが、それぞれ、ノードＮＤ３１〜ＮＤ３６として表示され、抽出された論文における共著者に対応するノード間が線分Ｌで接続されている。このような表示によりユーザは共著関係を直感的に認識可能となる。共著関係図示画面２０８には、２つの共著グループＣＧ３１およびＣＧ３２が表示されている。
【００７７】
同様に、共著関係図示画面２０９では、共著関係図示画面２０８に表示されたノードＮＤ３１〜ＮＤ３６に加えて、著者Ｇ，Ｈ，Ｉ，Ｊに対応するノードＮＤ４１〜ＮＤ４４が表示される。共著関係図示画面２０９では、共著関係図示画面２０８において分離されていた共著グループＣＧ３１およびＣＧ３２が著者Ｈに対応するノードＮＤ４２によって接続されて、ひとつの共著グループＣＧ４１となっている。また、共著関係図示画面２０９では、共著関係図示画面２０８には含まれなかった新たな共著グループＣＧ４２が表示されている。
【００７８】
このような共著関係図示画面により、キーワードの変化による共著関係の変化を容易に確認可能となり、多くの共著関係情報を得ることができるようになる。
【００７９】
○ポップアップ画面；
図１５は、ユーザが検索画面２０１で検索条件を入力した場合に、ユーザによる検索条件変更を支援するための補助情報（検索条件の代替または追加の候補；以下では、「検索条件候補」とも称する）をユーザに提示するポップアップ画面２１０を例示する図である。図１５では、補助情報として著者「佐藤花子」が表示された場合が例示されているが、ポップアップ画面にはキーワード等の著者以外の補助情報も表示されうる（後述）。
【００８０】
ポップアップ画面２１０で補助情報としてユーザに提示される検索条件候補は、ユーザが入力した検索条件との関係が強いキーワードまたは著者となっている。このキーワードまたは著者の情報は、検索履歴記憶部２１５に格納された詳細検索情報Ｒ２を利用して生成される。
【００８１】
＜動作＞
○選択論文情報の更新と利用；
以下では、最初に選択論文情報Ｒ１の更新方法について説明し、しかる後に検索処理および画面生成処理における選択論文情報Ｒ１の利用方法について説明する。
【００８２】
図１７は、選択論文情報Ｒ１の更新方法を説明する図である。図１７のテーブルＴＡ６１は、特定の時点における選択論文情報Ｒ１の具体的内容の一例を示している。情報検索装置１では、
（１）検索条件Xi；
（２）検索条件Xiを用いた検索処理により抽出された検索結果からユーザが選択した選択論文データYi；および
（３）検索条件Xiと選択論文データYiとの組に与えられるスコア；
が対応づけられた情報が選択論文情報Ｒ１として採用されている。上述のスコアは、検索条件Xiと選択論文データYiとの関係の強さを示すパラメータである。
【００８３】
選択論文情報Ｒ１がテーブルＴＡ６１で与えられている場合に、テーブルＴＡ６１に既に含まれている検索条件Xiを用いた検索処理をユーザが情報検索装置１に実行させ、検索結果から論文データYiをユーザが一覧表示画面２０２で選択（画面遷移指示ＩＮ２）すると、テーブルＴＡ６１はテーブルＴＡ６２へと更新される。テーブルＴＡ６２では、テーブルＴＡ６１と比較して、検索条件Xiと選択論文データYiとの組に与えられるスコアがδだけ増加しているいる。これにより、選択論文情報Ｒ１は、ユーザから与えられた画面遷移指示に基づいて更新されたことになる。
【００８４】
一方、選択論文情報Ｒ１がテーブルＴＡ６１で与えられている場合に、テーブルＴＡ６１に含まれていない検索条件Xn+1を用いた検索処理をユーザが情報検索装置１に実行させ、検索結果から論文データYn+1をユーザが一覧表示画面２０２で選択すると（画面遷移指示ＩＮ２）、テーブルＴＡ６１はテーブルＴＡ６３へと更新される。テーブルＴＡ６３では、テーブルＴＡ６１と比較して、新たな検索条件Xn+1と選択論文データYn+1との組にスコアδが与えられている。これによっても、選択論文情報Ｒ１は、ユーザから与えられた画面遷移指示に基づいて更新されたことになる。
【００８５】
なお、情報検索装置１では、スコアの増分δは、ユーザが閲覧した画面によって変化する。例えば、ユーザが画面遷移指示ＩＮ２により詳細情報選択表示画面２０３を表示装置２３３に表示させた場合はδ＝０．１とし、画面遷移指示ＩＮ２に続く画面遷移指示ＩＮ３により、全文選択表示画面２０４を表示装置２３３に表示させた場合はδ＝０．２とする。このようにスコアの増分を画面遷移指示によって変化させることにより、提示された情報の開示レベルないしはＧＵＩ画面の階層に基づいて選択論文情報Ｒ１が更新され、検索条件と選択論文データとの関係づけが強化される。なお、画面遷移指示は検索結果に対するユーザの意思表示でもあるから、選択論文情報Ｒ１には、検索結果に対するユーザの意思が反映されている。したがって、選択論文情報Ｒ１を情報検索装置１が保持することにより、ユーザの過去の意思表示を利用可能になる。
【００８６】
上記のような選択論文情報Ｒ１の更新により、検索条件Xjを用いた検索処理によって抽出された検索結果から論文データYjを選択することをユーザが繰り返すと、検索条件Xjと選択論文データYjとの組には高いスコアが与えられる。このため、高いスコアが与えられている検索条件Xjと選択論文データYjがある場合、新たに検索条件Xjを用いた検索処理が行われた場合、ユーザは再び検索結果から論文データYjを選択する可能性が高い。情報検索装置１では、選択論文情報Ｒ１のこのような特徴を、検索処理および画面生成処理に利用している。これにより、情報検索装置１では、ユーザの意思が検索処理および画面生成処理に反映される。
【００８７】
より具体的には、新たな検索条件Xjを用いた検索処理をユーザが情報検索装置１に実行させた場合、検索エンジン群２１０は、検索履歴記憶部２１５に格納された選択論文情報Ｒ１を参照し、検索条件Xjと同一または類似した検索条件Xj'と、選択論文データYj'との組が存在するかどうかを判定する。そして、存在する場合には、当該組（複数の場合もありうる）に与えられたスコアSjと選択論文データYj'を読み出し、検索結果に含まれる選択論文データYj'の一致度ＣにスコアSjを加算する。一覧表示画面２０２の検索結果総合表示テーブルＴＡ１１においては、検索結果は一致度Ｃの順番でソートされているので、このようなスコアSjの加算により、選択論文データYj'は一覧表示においてより上位に表示されることによって、一覧表示の情報内容が変化する。これにより、ユーザが選択する可能性が高い論文データYjのより詳細情報の閲覧が容易になる。
【００８８】
なお、一致度ＣへのスコアSjの加算に代えて、ＨＴＭＬ文書生成部２１１における画面生成処理に選択論文情報Ｒ１を利用してもよい。例えば、所定以上のスコアを有する論文データの文字色やフォントを変化させる等の表示方法の変化により、過去に選択された論文データの閲覧を容易にしてもよい。また、上述の例では選択論文情報Ｒ１がひとつだけ保持されている場合を示したが、検索履歴記憶部２１５をユーザまたはユーザ群ごとに設けて、選択論文情報Ｒ１をユーザまたはユーザ群ごとに保持するようにしてもよい。これにより、ユーザまたはユーザ群ごとに意志を検索処理や画面生成処理に反映可能になる。
【００８９】
○詳細検索情報の更新と利用；
以下では、最初に詳細検索情報Ｒ２の更新方法について説明し、しかる後に検索処理および画面生成処理における詳細検索情報Ｒ２の利用方法について説明する。
【００９０】
図１８は、詳細検索情報Ｒ２を説明する図である。図１８のテーブルＴＡ７１は、特定の時点における詳細検索情報Ｒ２のうち、検索条件とキーワードとの関係の情報を示している。また、テーブルＴＡ７２は、特定の時点における詳細検索情報Ｒ２のうち、検索条件と著者との関係の情報を示している。情報検索装置１では、
（１）検索条件Xi；および
（２）検索条件Xiを用いた検索処理により得られた検索結果からユーザが選択した選択論文データの詳細検索画面２０５で選択された選択肢のキーワードKWiまたは著者AUi；
が対応づけられた情報が詳細検索情報Ｒ２として採用されている。ただし、詳細検索情報Ｒ２が更新されるのは、詳細検索結果表示画面２０６の検索結果一覧表示画面２０６Ｌで論文が選択された（画面遷移指示ＩＮ７が与えられた）場合に限定される。これにより、詳細検索を実行し（画面遷移指示ＩＮ５）、検索結果から個別の論文データの詳細情報の閲覧を望んだ場合にのみ、詳細検索情報Ｒ２が更新される。情報検索装置１が、詳細検索情報Ｒ２を保持することにより、ユーザの過去の意思表示を利用可能になるとともに、新たな検索条件が与えられた場合に関係が強い著者またはキーワードを特定してその情報を利用することが可能になる。
【００９１】
より具体的には、新たな検索条件Xkを用いた検索処理をユーザが情報検索装置１に実行させた場合、ＨＴＭＬ文書生成部２１１は、検索履歴記憶部２１５に格納された詳細検索情報Ｒ２を参照し、検索条件Xjと同一または類似した検索条件Xj'と、キーワードKWj'または著者AUj'との組が存在するかどうかを判定する。そして、存在する場合には、キーワードKWj'または著者AUj'を読み出し、読み出したキーワードKWj'または著者AUj'を検索条件候補としたポップアップ画面２１０を生成して出力する。これにより、ユーザが後に実行する可能性が高い詳細検索に用いられる詳細検索条件をユーザはあらかじめ知ることができる。
【００９２】
＜変形例＞
○選択論文情報について；
選択論文情報Ｒ１の態様は上述の実施形態の態様に制限されず、ニューラルネットワークによることも可能である。図１９は、ニューラルネットワークを模式的に示す図である。なお、図１９では、説明の便宜上入力層および出力層がそれぞれ３個であるニューラルネットワークを示しているが、入力層および出力層の数は制限されない。
【００９３】
ニューラルネットワークＮは、ニューロンを３個ずつ備える入力層Ｉ、中間層Ｍ、出力層Ｏの３層からなるパーセプトロンである。ここでは、検索条件X1、検索条件X2、検索条件X3をそれぞれ入力Ｘ１，Ｘ２，Ｘ３に対応づける。同様に、選択論文データY1、選択論文データY2、選択論文データY3をそれぞれ、出力Ｙ１，Ｙ２，Ｙ３に対応づける。入力（Ｘ１，Ｘ２，Ｘ３）は、それぞれ入力層のニューロンＩ１，Ｉ２，Ｉ３に入力される。また、ニューロンＩ１，Ｉ２，Ｉ３の各出力は中間層のニューロンＭ１，Ｍ２，Ｍ３全てに入力される。さらに続けて、ニューロンＭ１，Ｍ２，Ｍ３の各出力は出力層のニューロンＯ１，Ｏ２，Ｏ３全てに入力される。ニューロンＯ１，Ｏ２，Ｏ３の出力は、それぞれ、出力Ｙ１，Ｙ２，Ｙ３となる。
【００９４】
ニューラルネットワークＮにおいて、検索条件Xj(j=1,2,3)を用いた検索処理が実行され、ユーザが選択論文データYk(k=1,2,3)の選択を行った場合、ニューラルネットワークＮに検索条件Xjと選択論文データYkとの結合を強化するような学習をさせることにより、選択論文情報Ｒ１を更新してもよい。このとき、画面遷移指示ＩＮ２が与えられた場合より画面遷移指示ＩＮ３が与えられた場合に学習を早く進行させることにより、上述の実施形態と同様の効果を得ることができる。
【００９５】
○論文データ群のデータ形式について；
上述の実施形態では、論文データ群のデータ形式がＸＭＬで記述されたタグ付文書である場合を示したが、ＳＧＭＬ(Standard Generalized Markup Language)、ＸＭＬ、ＨＴＭＬ、ＸＨＴＭＬ（eXtensible HyperText Markup Language）およびＲＤＦ等を記述言語として採用してもよい。
【００９６】
○データベースの構造について；
データベース２１４の構造は、リレーショナル構造、上述の記述言語で記述された文書をリレーショナルに格納した構造およびネイティブＸＭＬ構造のいずれも採用可能である。
【図面の簡単な説明】
【００９７】
【図１】論文Ｐ２を例示する図である。
【図２】論文Ｐ２を電子化して得られたＸＭＬ文書Ｘ２を例示する図である。
【図３】論文Ｐ２を電子化して得られたＸＭＬ文書Ｘ２を例示する図である。
【図４】情報検索装置１のハードウエア構成を示す図である。
【図５】情報検索装置１のデータベースサーバ２１の機能構成を示すブロック図である。
【図６】情報検索装置１のクライアント２３の機能構成を示すブロック図である。
【図７】検索画面２０１を例示する図である。
【図８】一覧表示画面２０２を例示する図である。
【図９】詳細情報選択表示画面２０３を例示する図である。
【図１０】全文個別表示画面２０４を例示する図である。
【図１１】詳細検索画面２０５を例示する図である。
【図１２】詳細検索結果表示画面２０６を例示する図である。
【図１３】共著関係図示画面２０８を例示する図である。
【図１４】共著関係図示画面２０９を例示する図である。
【図１５】ポップアップ画面２１０を例示する図である。
【図１６】ＧＵＩ画面間の画面遷移を示す図である。
【図１７】選択論文情報の更新方法を説明する図である。
【図１８】詳細検索情報を説明する図である。
【図１９】ニューラルネットワークＮを示す図である。
【符号の説明】
【００９８】
１  情報検索装置
２１  データベースシステム
２２  ネットワーク
２３  クライアント
Ｎ  ニューラルネットワーク
Ｐ２  論文
Ｘ２  ＸＭＬ文書
【図１】
2005316573.tif 000003
【図２】
2005316573.tif 000004
【図３】
2005316573.tif 000005
【図４】
2005316573.tif 000006
【図５】
2005316573.tif 000007
【図６】
2005316573.tif 000008
【図７】
2005316573.tif 000009
【図８】
2005316573.tif 000010
【図９】
2005316573.tif 000011
【図１０】
2005316573.tif 000012
【図１１】
2005316573.tif 000013
【図１２】
2005316573.tif 000014
【図１３】
2005316573.tif 000015
【図１４】
2005316573.tif 000016
【図１５】
2005316573.tif 000017
【図１６】
2005316573.tif 000018
【図１７】
2005316573.tif 000019
【図１８】
2005316573.tif 000020
【図１９】
2005316573.tif 000021